(57)【要約】【課題】本発明は、被転写物を平らな面から浮かした転写物を転写することができると共に、拡げられた被転写物の任意の位置に自在に転写物を転写することができる転写具を提供する。【解決手段】転写具は、被転写体（２８）に転写される転写物を一方の面に離脱可能に備える転写体１を収納する転写具本体２と、転写体１に接触可能な転写ヘッド３と、転写体１の一方の面に接触可能な補助ローラ４と、この補助ローラ４と転写ヘッド３とで転写体１を挟む使用位置から転写ヘッド３のみを使用して転写作業を行う場合に妨げにならない退避位置までの間で補助ローラ４を移動可能に保持する補助ローラ支持体（５）と、この補助ローラ支持体（５）を退避位置に仮保持する仮保持機構１４とを具備してなる。【選択図】図１
2008273038.tif 000002
【特許請求の範囲】
【請求項１】
被転写体に転写される転写物を一方の面に離脱可能に備える転写体を収納する転写具本体と、
転写体に接触可能な転写ヘッドと、
転写体の一方の面に接触可能な補助ローラと、
この補助ローラと転写ヘッドとで転写体を挟む使用位置から転写ヘッドのみを使用して転写作業を行う場合に妨げにならない退避位置までの間で補助ローラを移動可能に保持する補助ローラ支持体と、
この補助ローラ支持体を退避位置に仮保持する仮保持機構とを具備してなる転写具。
【請求項２】
転写ヘッドが、その先端に主ローラを備えてなる請求項１記載の転写具。
【請求項３】
補助ローラ支持体が、基端部を転写具本体に枢支され先端部で補助ローラを回転可能に支持する回動アームである請求項１又は２記載の転写具。
【請求項４】
補助ローラの反転写ヘッド側を、補助ローラ支持体の外面よりもさらに外方に突出させてある請求項１，２又は３記載の転写具。
【発明の詳細な説明】
【技術分野】
【０００１】
本発明は、転写物を転写対象物に転写する際に用いる転写具に関するものである。
【背景技術】
【０００２】
従来、例えば封筒を封緘する場合に用いるのりや、誤記した部分や不要な記載を抹消する場合に用いる修正材などを、紙やフィルムなどに塗布（転写）する転写具が知られている。このような転写具において、手が汚れることがないように、ステープラ形状をしたものが、例えば特許文献１や特許文献２に記載されている。
【０００３】
特許文献１に記載の転写具は、ジョイントで接続された上ハンドルと下ハンドルとの先端部において紙を挟み、その状態で紙と転写具とを相対移動させて、上ハンドルの先端部に取り付けられた糊付け部から出る糊を挟んだ紙に塗布する構成である。特許文献２に記載の転写具は、同様にして、上下腕ケースを軸で接続し、その軸に支持されるリールに巻かれる塗膜転写テープを上下腕ケースの先端部に導き、上下腕ケースの先端部において紙を挟み、その状態で紙と転写具とを相対移動させて、塗膜転写テープに付された塗膜を挟んだ紙に塗布する構成である。
【特許文献１】特開２００５−２８９０５０号公報
【特許文献２】特開２００６−２０５５２５号公報
【発明の開示】
【発明が解決しようとする課題】
【０００４】
ところが、このような構成のものであると、紙に糊を塗布する場合、必ず紙を転写具によって挟まなければならない。言い換えれば、特許文献１に記載のものにおいては、糊付け部のみを紙に押しつけて、糊を紙に塗布することはかなわない。同様にして、特許文献２に記載のものにあっては、塗膜転写テープを直接紙に押し当てて、塗膜転写テープの塗膜を紙に塗布することができない。このため、紙の縁から一定の距離までの領域に糊や塗膜を塗布することはできるものの、上下腕ケースの長さにより規制されるために、紙の中央部などのように紙の縁から遠い位置や領域に糊などを塗布することはほぼ不可能であった。
【０００５】
そこで本発明は、被転写物を平らな面から浮かした転写物を転写することができると共に、拡げられた被転写物の任意の位置に自在に転写物を転写することができる転写具を提供することを目的としている。
【課題を解決するための手段】
【０００６】
すなわち、本発明の転写具は、被転写体に転写される転写物を一方の面に離脱可能に備える転写体を収納する転写具本体と、転写体に接触可能な転写ヘッドと、転写体の一方の面に接触可能な補助ローラと、この補助ローラと転写 ヘッドとで転写体を挟む使用位置から転写ヘッドのみを使用して転写作業を行う場合に妨げにならない退避位置までの間で補助ローラを移動可能に保持する補助ローラ支持体と、この補助ローラ支持体を退避位置に仮保持する仮保持機構とを具備してなることを特徴とする。
【０００７】
このような構成によれば、補助ローラ支持体を使用位置に配置する場合は、補助ローラと転写ヘッドとで転写体を挟んで、転写体に付された転写物を被転写体に転写することが可能になる。一方、補助ローラ支持体を退避位置に、仮保持機構により仮保持させると、転写ヘッドのみを使用して転写作業を行えるものとなる。この結果、被転写体の大きさや形状などに関係なく、被転写体の任意の場所に転写物を転写することが可能になる。この間、補助ローラ支持体は、退避位置に仮保持されているので、補助ローラ支持体を作業中に手で保持しておく必要がない。したがって、作業性を向上し得るものである。
【０００８】
転写体の動きを円滑にするためには、転写ヘッドが、その先端に主ローラを備えてなるものが好ましい。
【０００９】
使用位置と退避位置との間の移動を円滑にするには、補助ローラ支持体が、基端部を転写具本体に枢支され先端部で補助ローラを回転可能に支持する回動アームであるものが好ましい。
【００１０】
被転写体を転写具の移動に合わせて送りながら転写物を被転写体に転写するためには、補助ローラの反転写ヘッド側を、補助ローラ支持体の外面よりもさらに外方に突出させてあるものが望ましい。
【発明の効果】
【００１１】
本発明は、以上説明したような構成であり、補助ローラ支持体を使用位置に配置する場合は、補助ローラと転写ヘッドとで転写体を挟んで、転写体に付された転写物を被転写体に転写することができ、一方、補助ローラ支持体を退避位置に、仮保持機構により仮保持させると、転写ヘッドのみを使用して転写体に付された転写物を被転写体に転写することができる。この結果、被転写体の大きさや形状などに関係なく、被転写体の任意の場所に転写物を転写することができる。
【発明を実施するための最良の形態】
【００１２】
以下、本発明の一実施形態を、図ｌ〜６を参照して説明する。
【００１３】
この実施形態の転写具は、主として、転写体１を収納する転写具本体２と、転写具本体２から突出する転写ヘッド３と、転写体１の一方の面に接触可能な補助ローラ４と、その補助ローラ４を回転可能に支持する補助ローラ支持体である回動アーム５とを備えている。この実施形態にあっては、転写ヘッド３は、転写具本体２を構成するカートリッジ６に組み付けられるものであり、カートリッジ６により転写体１を取り替え可能に供給し得るようになっている。
【００１４】
転写具本体２は、ケース部材７と、ケース部材７の内部に収容されるカートリッジ６とで構成される。ケース部材７は、収容されるカートリッジ６と組み合わされることにより、転写具の外面を形成するものである。ケース部材７は、カートリッジ６の組み付けのためのスライド部材８と、カートリッジ６に回転可能に組み込まれている供給リール９及び巻き取りリール１０を駆動する駆動伝達機構１１とを備えている。ケース部材７は、その前側部分に切欠部分１２を備えてなり、切欠部分１２からカートリッジ６の先端に設けられてなる転写ヘッド３が突き出るように構成される。スライド部材８は、転写ヘッド３がある方向とは反対の方向つまり後方に移動されることにより、ケース部材７に組み付けられた６を、ケース部材７に係止されているカートリッジ６の係止を解除して、かつスライド部材８の移動方向に直交してケース部材７から離れる方向に、カートリッジ６を移動させるものである。
【００１５】
カートリッジ６は、テープとそのテープの一方の面に離脱可能に備えられる転写物とを備えてなる転写体１が巻き付けてある供給リール９と、使用後のテープを巻き取る巻き取りリール１０と、供給リール９と巻き取りリール１０とを回転可能に支持するリール支持板体１３と、リール支持板体１３の前側に取り付けられる転写ヘッド３と、補助ローラ支持体である回動アーム５及びその回動アーム５の先端部分に回転可能に取り付けられる補助ローラ４と、仮保持機構１４を構成する係合突起１５とを備えている。
【００１６】
リール支持板体１３は、カートリッジ６をケース部材７に組み付けた場合にケース部材７の外面と連続して、転写具本体２の外壁として機能する。リール支持板体１３は、その内面に供給リール９と巻き取りリール１０とをそれぞれ個別に回転可能に支持する回転軸（図示しない）を備えている。また、リール支持板体１３は、ケース部材７の切欠部分１２に対応して露出する下縁の近傍の内面に、仮保持機構１４の係合突起１５を備えている。
【００１７】
転写ヘッド３は、その先端に転写体１の転写物が備えられていない他方の面が接触する主ローラ１６を備えている。なお、この実施形態においては、主ローラ１６を備えている転写ヘッド３を説明するが、主ローラ１６を有しない、つまり転写体１と接触する丸棒を主ローラ１６の代わりに備える構成のものであってもよい。
【００１８】
転写体１は、例えば、合成樹脂製の透明のテープと、転写物とを備えるものである。転写物としては、糊、接着剤、修正用塗膜などである。これらの転写物は、転写体１を被転写物に押し当てて転写具と被転写物とを移動させることにより、被転写物に転写させるものである。被転写物としては、紙やフィルムなどシート状のものが挙げられる。
【００１９】
カートリッジ６に取り付けられた転写ヘッド３の下側には、補助ローラ支持体を構成する回動アーム５が取り付けてある。すなわち、回動アーム５は、カートリッジ６にその基端部１７を枢支され、その先端部１８に補助ローラ４を回転可能に支持している。
【００２０】
回動アーム５を枢支するために、カートリッジ６の前端側に位置する転写ヘッド３の下側には、一対の取付部１９が形成してある。取付部１９にはそれぞれ、回動アーム５の軸孔となる貫通孔２０が設けてある。一方、この貫通孔２０に対応して、回動アーム５の基端部１７には、同一軸線上において外側の反対方向に向かって突出する回動軸部２１が設けてある。そして、回動アーム５の回動軸部２１を取付部１９の貫通孔２０に挿入することにより、回動アーム５が回動可能にカートリッジ６に取り付けられるものである。これにより、この回動アーム５は、補助ローラ４と転写ヘッド３の主ローラ１６とにより転写体１を挟む使用位置から、転写ヘッド３のみを使用して転写作業を行う場合に妨げとならない退避位置までの間で補助ローラ４を移動し得るようになっている。
【００２１】
補助ローラ４は、先端部１８に設けられた貫通孔２２に取り付けられるもので、その先端部１８の厚みのほぼ中央に補助ローラ４の回転軸２３に中心が位置するように配置されるものである。そして、先端部１８の厚みより補助ローラ４の外径は大きくしてあり、補助ローラ４の反転写ヘッド側は、回動アーム５の外面よりもさらに外方に突出するものである。つまり、補助ローラ４は、転写ヘッド３側においてその表面、つまり回動アーム５の先端部１８の上面より上に位置する部分の表面が露出すると共に、その反対側の反転写ヘッド側つまり先端部１８の下面より下に位置する部分においても同様にその表面が露出するものである。
【００２２】
回動アーム５は、基端部１７と先端部１８との間に、挿通部２４を備えている。挿通部２４は、その幅が転写ヘッド３の幅とほぼ等しくしてあり、被転写物である例えば紙２８を挿通するのに十分な長さを有している。すなわち、この挿通部２４は、回動アーム５を使用位置に位置させて使用する場合に、転写ヘッド３と補助ローラ４との間に挟む紙２８が円滑に移動する大きさに設定してある。
【００２３】
回動アーム５はさらに、補助ローラ４と挿通部２４との側方のほぼ基端部１７から先端部１８にかけて、使用位置に位置させて使用する場合に指をかける指掛け部２５を備えている。この指掛け部２５は、回動アーム５が使用位置の位置される際に、転写ヘッド３側面より外側に大きく突き出るように形成してある。指掛け部２５の幅は、例えばほぼ補助ローラ４の幅程度であってよく、しかしながら補助ローラ４の幅に限定されるものではない。
【００２４】
以上の構成に加えて、カートリッジ６と回動アーム５とには、回動アーム５をカートリッジ６に接触するように仮保持する仮保持機構１４が設けてある。
【００２５】
仮保持機構１４は、回動アーム５の指掛け部２５とは反対側の端部近傍に形成される係合片２６及びその係合片２６の先端近傍に設けられる凹部２７と、回動アーム５が退避位置に移動した場合に係合片２６の凹部２７が係合する係合突起１５とを備えている。係合片１５は、回動アーム５の下面に下側に向かって突出するように形成され、弾性変形し得るように形成してある。
【００２６】
このような構成において、図４に示すように、回動アーム５を使用位置に保持して使用する場合、紙２８を回動アーム５の挿通部２４に通した状態で、指掛け部２５に力を加えて回動アーム５を転写ヘッド３側に押しつける。これにより、転写ヘッド３の主ローラ１６と回動アーム５の補助ローラ４との間に紙２８が挟まれて、その紙２８の表面に転写物が押しつけられる。この時、回動アーム５に加える力は、紙２８の厚みや強さなどを考慮して、確実に紙２８に転写物が転写されるに十分な強さに調整する。なお、同図において、点線の矢印は、転写体の動きを示し、実線の矢印は、紙２８の移動方向を示す。
【００２７】
以上のようにして、紙２８を転写ヘッド３の主ローラ１６と回動アーム５の補助ローラ４との間に挟んだ状態で、紙２８を転写具の前側つまり転写ヘッド３が設けられている側に引っ張る。この時、挿通部２４の側壁２９に紙２８を接触させるように、つまり挿通部２４に紙２８を案内させるようにして紙２８を引っ張る。これにより、転写体１のテープから転写物が離れ、転写物は紙２８の表面に転写される。したがって、転写物を、紙２８の縁に沿って所定の位置にほぼ直線的に転写することができる。この使用方法にあっては、使用場所に平らな場所がなくとも、紙２８に転写物を確実に転写することができる。
【００２８】
これに対して、上述と同様に、紙２８を転写ヘッド３の主ローラ１６と回動アーム５の補助ローラ４との間に挟んで転写物を紙２８に転写する場合に、図５に示すように、補助ローラ４を机やテーブルなどの天板のような平らな面３０に接触させ、補助ローラ４をその平らな面３０の上を転がして、転写物の転写を行ってもよい。すなわち、補助ローラ４は、転写ヘッド３とは反対側の反転写ヘッド側つまり回動アーム５の先端部１８の下面より下に位置する部分においてその表面が露出するので、補助ローラ４を平らな面３０に接触させることができる。なお、同図において、点線の矢印は、転写体の動きを示し、実線の矢印は、転写具の移動方向を示す。
【００２９】
このような使用方法にあっては、紙２８を主ローラ１６と補助ローラ４とに挟んだ状態で、しかも天板などの平らな面３０に接触させて転写具を前方向に押しながら移動させることにより、補助ローラ４を回転させることができる。補助ローラ４が回転することにより、その回転に伴われて紙２８は補助ローラ４の回転に合わせて前側に移動する。したがって、紙２８を引っ張る必要はなく、転写具を平らな面３０上において前方に押すだけで、紙２８に転写物を転写することができる。
【００３０】
これに対して、図６に示すように、回動アーム５を回動させて補助ローラ４を退避位置まで移動し、仮保持機構１４により回動アーム５を仮保持して、転写具を使用することができる。つまり、この使用方法にあっては、補助ローラ４を使用しないものである。具体的には、まず、使用位置あるいは退避位置以外から退避位置に向けて回動アーム５を移動させる。回動アーム５がケース部材１に接近した状態で、回動アーム５をケース部材１側に圧して接触させると、係合片２６が係合突起１５に係合して回動アーム５が退避位置に仮保持、言い換えれば回動アーム５がケース部材１に組み込まれた転写具本体２に離脱可能な状態で固定される。このように、仮保持機構１４により回動アーム５を転写具本体２に仮保持すると、補助ローラ４が退避位置に仮保持されて、転写ヘッド３は露出することとなる。
【００３１】
この状態においては、転写ヘッド３がむき出しになっているので、転写物は紙２８の所望に位置に転写することができる。すなわち補助ローラ４が退避位置に仮保持されるように、回動アーム５をカートリッジ６に仮保持させた転写具を持って、転写物を転写したい紙２８の所望の位置に転写ヘッド３を接触させる。そして、転写具を紙２８に押しつけて、転写体１が紙２８の表面に圧接している状態のまま、転写具を移動させる。なお、同図において、点線の矢印は、転写体１の動きを示し、実線の矢印は、転写具を移動させる方向を示す。
【００３２】
これによって、紙２８の縁近傍の領域以外に、つまり紙２８の中央の領域にも、所望の軌跡あるいは所望の形状に転写物を転写することができる。したがって、場所及び転写範囲を限定することなく、さらには、紙２８が水平なところにない、例えば段ボールの箱の側面などの場合であっても、紙２８に自由に、かつ任意に転写物を転写することができ、転写能力を向上させることができる。
【００３３】
なお、上述の実施形態においては、転写体１を収納するカートリッジ６を説明したが、カートリッジ６がケース部材７と一体になって、ケース部材７から取り出せない構造であってもよい。
【００３４】
また、仮保持機構は、上述の実施形態に限定されるものではなく、回動アームに凸部を設け、転写具本体にその凸部が係合する凹部を設ける構成であってもよい。あるいは、回動アームを回転可能に支持する回動軸部分を例えば多角形にして、回動が規制されるように構成するものであってもよい。
【００３５】
その他、各部の具体的構成についても上記実施形態に限られるものではなく、本発明の趣旨を逸脱しない範囲で種々変形が可能である。
【図面の簡単な説明】
【００３６】
【図１】本発明の実施形態における、回動アームが使用位置にある場合の斜視図。
【図２】同実施形態の分解斜視図。
【図３】同実施形態の回動アームの正面図及び底面図。
【図４】同実施形態の主ローラと補助ローラとで紙を挟んで転写作業を行う場合の正面図。
【図５】同実施形態の主ローラと補助ローラとで紙を挟んで、補助ローラを平らな面の上を転がして転写作業を行う場合の正面図。
【図６】同実施形態の補助ローラを退避位置に仮保持させて転写作業を行う場合の正面図。
【符号の説明】
【００３７】
１…転写体
２…転写具本体
３…転写ヘッド
４…補助ローラ
５…回動アーム
１４…仮保持機構
【図１】
2008273038.tif 000003
【図２】
2008273038.tif 000004
【図３】
2008273038.tif 000005
【図４】
2008273038.tif 000006
【図５】
2008273038.tif 000007
【図６】
2008273038.tif 000008